(57)【要約】【課題】クレジットカード番号や電子マネーを準備していなくても、通信ネットワーク上で決済を行え、セキュリティを十分に確保できる決済サービスシステムを提供する。【解決手段】ユーザからのサービス提供依頼を受け付けたサービス提供業者から代金決済依頼を受けたときには、決済認証コードを発行して、代引配送依頼をなし、代引による代金回収の結果として、決済認証コードが代引決済代行サーバに送られてきたときには、サービス提供業者に決済完了通知をなすことを特徴とする。【選択図】図１
2006107138.tif 000002
【特許請求の範囲】
【請求項１】
通信ネットワーク上に代引決済代行サーバを設置し、
ユーザからのサービス提供依頼を受け付けたサービス提供業者から代金決済依頼を受けたときには、決済認証コードを発行して、代引配送依頼をなし、
代引による代金回収の結果として、上記決済認証コードが代引決済代行サーバに送られてきたときには、上記サービス提供業者に決済完了通知をなすことを特徴とする、代引電子決済代行サービスシステム。
【請求項２】
請求項１において、
上記サービス提供業者は、通信ネットワーク上に設置したサービス提供サーバを通じて、ユーザからサービス提供の依頼を受けたときには、
そのユーザの認証コードを予め登録しておき、
上記サービス提供サーバは、上記代引決済代行サーバから決済完了通知を受けた後は、そのユーザの認証コードを照合してから、サービスを提供するようにしている、代引電子決済代行サービスシステム。
【請求項３】
請求項１、２において、
上記代引決済代行サーバは、上記通信ネットワークを介して、代引業者のサーバに接続されており、発行した決済認証コードを暗号化して上記代引業者のサーバに送出して、代引配送依頼をなすことを特徴とする、代引電子決済代行サービスシステム。
【発明の詳細な説明】
【技術分野】
【０００１】
本発明は、通信ネットワーク上で広く使用されている電子決済代行サービスシステムの改良に関する。
【背景技術】
【０００２】
近時、特許文献１に示すような電子決済代行サービスシステムがインターネットを利用して広く普及している。
【０００３】
このものは、決済代行サーバは、提携業者が設置したサービス提供サーバのリンク先として設定されており、サービス提供サーバへアクセスした通信端末機において、所定の決済依頼指示がなされた際には、通信端末機と決済代行サーバとが接続し、通信端末機において、クレジットカード情報や、電子マネー情報を入力すれば、決済代行サーバにて、クレジットカード会社などに情報の照会を行う。
【０００４】
そして、情報の照会ができれば、決済が完了し、その旨をサービス提供業者に通知するので、サービス提供業者はこれを受けて、指定されたサービス提供を開始する。
【特許文献１】特開２００２−１０９４３４号公報
【発明の開示】
【発明が解決しようとする課題】
【０００５】
ところで、上記した従来の電子決済代行システムでは、ユーザはクレジットカードや電子マネーを準備しなければ上記システムを使用した決済ができなかった。また、クレジットカード番号や電子マネーに関する情報が悪意の第三者に知られた場合、その情報が勝手に入力されて、ユーザの知らないところで決済が行われ、ユーザが損を被ることもあった。
【０００６】
更には、通信ネットワーク上における通信セキュリティが最近大幅に向上したとはいえ、完全に情報漏洩を防止するには至ってはいない。
【０００７】
そうすると、クレジットカード番号や電子マネーを準備していなくても、通信ネットワーク上で決済を行えるシステム、更には、セキュリティを十分に確保できるシステムの開発が望まれる。
【０００８】
本発明は、このような事情を解決することを目的とするものである。
【課題を解決するための手段】
【０００９】
上記目的を達成するために、本発明の請求項１では、ユーザからのサービス提供依頼を受け付けたサービス提供業者から代金決済依頼を受けたときには、決済認証コードを発行して、代引配送依頼をなし、代引による代金回収の結果として、決済認証コードが代引決済代行サーバに送られてきたときには、サービス提供業者に決済完了通知をなすことを特徴とする。
【００１０】
請求項２では、サービス提供業者は、通信ネットワーク上に設置したサービス提供サーバを通じて、ユーザからサービス提供の依頼を受けたときには、
そのユーザの認証コードを予め登録しておき、サービス提供サーバは、上記代引決済代行サーバから決済完了通知を受けた後は、そのユーザの認証コードを照合してから、サービスを提供するようにしている。
【００１１】
請求項３では、代引決済代行サーバは、通信ネットワークを介して、代引業者のサーバに接続されており、発行した決済認証コードを暗号化して代引業者のサーバに送出して、代引配送依頼をなすことを特徴とする。
【発明の効果】
【００１２】
本発明の請求項１〜３によれば、クレジットカードや電子マネーを準備していなくても、通信ネットワークを利用した決済ができる。また、サービスを利用するための決済認証コードを代引きで通知しているので、現金を代引き業者に支払わないと決済が完了しないため、悪意の第三者に仮に誤送されたとしても、ユーザ、代引き業者、決済代行業者、サービス提供業者の誰も損をすることがなく、セキュリティ上有益にできる。
【００１３】
更に、ランダムコードはある特定サービスを利用するためだけのコードであるから、クレジットカード情報や電子マネー情報が漏洩するのに比較して、ユーザにとってのリスクが少ない。
【００１４】
更に、サービス内容が水道料金の支払いなど、定期的に請求すべきものである場合でも、その都度、決済認証コードを生成して代引き業者により、サービス相当額の現金の引き換えにより通知し、ユーザは決済認証コードを通知される度、決済認証コードを入力すれば、定期的なサービス代金の決済ができる。
【００１５】
更に、電子マネーの購入のように、コンビニエンスストアに出向く必要がなく、代引き業者の営業エリア内であれば、どこにいても本サービスを利用でき、利便である。例えば、郵便局を利用した場合、全国どこにいても本サービスが利用可能である。
【発明を実施するための最良の形態】
【００１６】
以下に、本発明の実施の形態について説明する。
【実施例１】
【００１７】
図１は、本発明システムの概略構成の一例について示す図である。
【００１８】
このものは、インターネットなどの通信ネットワークＮ上に、決済代行サービス提供者の代引決済代行サーバ１、サービス提供業者のサービス提供サーバ２、ユーザの通信端末機３を接続して構成している。
【００１９】
代引決済代行サーバ１は、図２に示すような構成をしている。すなわち、この代引決済代行サーバ全体を制御するマイコン１０と、サービス提供業者からの代金決済依頼があったときに、ランダムコードで構成された決済認証コードを生成する決済認証コード生成部１１と、生成した決済認証コードを記憶する決済認証コード記憶部１２と、通信端末機３から出力された決済認証コードが、決済認証コード記憶部１２にあるかないかを照合する決済認証コード照合部１３と、通信ネットワークＮを通じて、サービス提供サーバ２や通信端末機３と、所定プロトコルに従った通信を行うための通信制御部１４と、決済認証コードを記載した決済証を発行する決済証発行部１５と、代金回収の結果として、通信端末器３から決済証に記載された決済認証コードが送出されてきたときに、サービス提供サーバ２に決済完了通知をなす決済完了通知部１６とを備える。
【００２０】
このような代引決済代行サーバ１では、決済認証コード生成部１１は、サービス提供サーバ２から、ユーザが依頼したサービス名、ユーザ認証コード、支払い期限といった代行決済依頼を受けたときには、ひらがなをランダムに組み合わせたり、ひらがな、カタカナ、英文字、記号などをランダムに組み合わせ決済認証コードを生成する。
【００２１】
決済認証コード記憶部１２は、決済認証コード記憶テーブル１２Ａを備える。このテーブル１２Ａは、代引決済依頼を行ったサービス提供業者名、サービス提供業者がサービス提供依頼されたサービス代金、サービス提供依頼をしたユーザのユーザ認証コード、決済認証コード、サービス代金支払い期限が各々記憶される。ここで、代引決済依頼を行ったサービス提供業者名は、サービス提供サーバ２のＩＰアドレスから判定することができる。
【００２２】
なお、代引決済依頼を行ったサービス提供業者名の判定は、ＩＰアドレスには限られず、ＩＤコードを別途対応付けて登録しておいて判定するようにしてもよい。
【００２３】
決済認証コードは、決済認証コード生成部１１で生成したものを格納する。その他の情報は、サービス提供サーバ２から先述したように送られてくるので、送られてきたデータを記憶する。
【００２４】
決済認証コード照合部１３は、代金回収の結果として、通信端末器３から決済認証コードが送出されてきたときには、記憶部１２を参照して、その決済認証コードを照合する。なお、通信端末器３では、決済認証コードを入力するだけでなく、ユーザ認証コードも入力し、決済認証コード照合部２３において、決済認証コードとユーザ認証コードとを記憶部１２を参照して照合するようにすればセキュリティの向上が図れる。なお、支払期限までにユーザから決済認証コードが送られてこなかった場合には、対応するサービス代金回収は行わない。
【００２５】
そして、照合部１３は、決済認証コードの照合、場合により、ユーザ認証コードの照合も行った結果、照合ができれば、決済完了通知部１６により、決済が完了した旨を、ユーザ認証コードを送って通知する。
【００２６】
決済証発行部１５は、サービス提供サーバ２から代引決済依頼をうけたときに、決済認証コード生成部１１により生成した決済認証コードを記載した決済証を発行する。なお、決済証を発行した代引き依頼には限られず、通信ネットワーク上の代引き業者のサーバ（不図示）と接続して、発行した決済認証コードを（必要により暗号化して）、代引き業者のサーバに送出し、代引き業者のサーバにおいて、（暗号化されている場合には復号した後に）、決済認証コードを記載した決済証を発行し、代引き配達してもよい。
【００２７】
ここで、代引業者に代引きを依頼する際には、ユーザの住所が必要となるが、サービス提供サーバ２が代行決済依頼をする際に、ユーザ住所データも合わせて送出するようにすれば、代引決済代行サーバ１はこれを知ることができる。
【００２８】
一方、サービス提供サーバ２は、図４に示すように、このサーバ２全体を制御するマイコン２０と、映画、音楽、ソフトウェアなどの配信サービスを提供するサービス提供部２１と、ユーザ認証コードを記憶するユーザ認証コード記憶部２２と、ユーザ認証コードの照合を行うユーザ認証コード照合部２３と、決済代行サーバ１や通信端末器３とで通信ネットワークＮを介した通信制御を行う通信制御部２４と、決済処理部２５とを備える。
【００２９】
ユーザ認証コード記憶部２２は、ユーザ認証コード記憶テーブル２２Ａ（図５参照を備える。このテーブル２２Ａでは、予め、サービス利用者毎に発行したユーザ認証コードが記憶されており、ユーザのサービス提供依頼がある毎に、提供依頼サービス名、サービス代金支払い期限が対応して記憶される。また、決済代行サーバ１から、ユーザ認証コードを付記した決済完了通知が送られてきたときには、そのユーザ認証コードに対応して、決済有りを記憶する。決済完了通知が送られてこない間は、決済無しを記憶する。
【００３０】
ユーザ認証コード照合部２３は、代引決済代行サーバ１から、ユーザ認証コードを付記した決済完了通知が送られてきたときには、記憶部２２を参照して、そのユーザ認証コードの有無を判定する。ユーザ認証コードがあれば、その旨、サービス提供部２１に通知し、そのユーザの通信端末器３に依頼されたサービスを提供する。なお、サービス代金支払い期限までに決済完了通知がこなかった場合には、そのサービス依頼を無効とする。
【００３１】
決済処理部２５は、アクセスのあったユーザの通信端末器３に対して、クレジットカード決済、電子マネー決済、代引き決済の選択を促し、代引き決済の選択がされたときには、代引決済依頼を、ユーザ認証コードを付記して代引決済サーバ１に依頼する。一方、クレジットカード決済、電子マネー決済が選択されたときには、従来通りの公知の決済を行う。
【００３２】
図６は、このような構成の決済代行サービスシステムの処理概要を概略的に説明する図である。
【００３３】
つまり、ユーザの通信端末器３からサービス提供サーバ２にアクセスがあり、サービス提供依頼をサービス提供サーバ２が受け、代引き決済が選択されたときには、決済代行サーバ１に対して、ユーザ認証コード、支払い期限、依頼サービス代金を付記した代引決済依頼をする。
【００３４】
そして、決済代行サーバ１では、ユーザ認証コード、支払い期限、依頼サービス代金を記憶部１２の決済認証コード記憶テーブル１２Ａに記憶する。そして、決済認証コードを発行してそのコードを、先述したユーザ認証コード、支払い期限、依頼サービス代金と合わせてテーブル１２Ａに記憶する。
【００３５】
次に、決済代行サーバ１では、代引き業者に対して、決済認証コードを記載した決済証を、そのユーザに代引き配達する依頼をなす。
【００３６】
そして、代引き配達で、決済証をサービス代金と引き替えに配達が終わると、サービス代金回収結果として、ユーザの通信端末器３に決済認証コードが入力される。
【００３７】
そうすると、決済代行サーバ１では、決済認証コードの照合を行い、ユーザ認証コードを付記した決済完了通知を提携業者に出力する。すると、サービス提供サーバ２では、決済代行サーバ１から送られてきたユーザ認証コードの照合を行い、依頼のあったサービスを提供する。
【００３８】
なお、ここでは、決済を１回限りのサービス提供に対してのみ行っているが、サービス提供業者が、ユーザに定期的なサービスを提供する者である場合には、サービス提供サーバ２は、先述した支払い期限として毎月３０日というように定期的な期限を記憶するとともに、期限を決済代行サーバ１に送信して記憶させておき、決済代行サーバ１は、期限１週間前など一定期間前になったときには、その都度、決済証を発行し、定期的な入金の有無を、ユーザから送られてくる決済認証コードにより行うようにしてもよい。  ここで、このような決済において、代引き業者は、ユーザから、サービス提供料金相当額に代引き業者の手数料を加味した金額を受け取る。そうして、代引き業者から決済代行業者に、手数料を減算した金額、つまりサービス提供料金相当額のみが送金される。そして、決済代行業者では、自身の手数料を差し引いた金額をサービス提供業者に送金する。
【図面の簡単な説明】
【００３９】
【図１】本発明の概略構成の一例を示す図
【図２】決済代行サーバの内部構成の一例を示す図
【図３】決済認証コード記憶テーブルの一例を示す図
【図４】サービス提供サーバの内部構成の一例を示す図
【図５】ユーザ認証コード記憶テーブルの一例を示す図
【図６】本発明の決算処理について説明するための図
【符号の説明】
【００４０】
１  代引決済代行サーバ
２  サービス提供サーバ
３  通信端末機
４  代引配送業者
【図１】
2006107138.tif 000003
【図２】
2006107138.tif 000004
【図３】
2006107138.tif 000005
【図４】
2006107138.tif 000006
【図５】
2006107138.tif 000007
【図６】
2006107138.tif 000008